(57)【特許請求の範囲】
【請求項１】
走行車輪を備えた機体フレームの後端部に尾輪を装着し後部上方に操作ハンドルを設けた走行機体の両側に、ポンプから圧送される流動性肥料を上下動する施肥ノズルで地中に施肥する施肥機において、上記施肥ノズルを上下に駆動する動力伝導部を設け、該動力伝導部を覆う伝導ケースに、施肥ノズルおよびポンプを取付けて、動力伝導部と一体的に施肥ノズルおよびポンプを機体に昇降調節可能に取り付けると共に、上記上下動する施肥ノズルを走行車輪の車軸近傍位置で該走行車輪と尾輪の間に配置したことを特徴とする施肥機。
【請求項２】
動力伝導部によって駆動される施肥ノズルが、ガイド板に設けた案内溝に沿って上下動することを特徴とする請求項１記載の施肥機。
【発明の詳細な説明】
【０００１】
【発明の属する技術分野】
本発明は、走行機体の両側に設けた上下動する施肥ノズルで、ポンプから圧送される流動性肥料を所定間隔ごとに地中に施肥するようにした施肥機に係るものである。
【０００２】
【従来の技術】
一般に畑作用の施肥機には、走行機体の両側に、動力伝導部によつてそれぞれ異なる位相で上下動する施肥ノズルを設け、この施肥ノズルが交互に地中に打込まれたときに、ポンプで圧送された流動性肥料を所定間隔ごとに点状に施肥するようにしたものが知られている。
【０００３】
【発明が解決しようとする課題】
ところが、このような従来の施肥機は、上下動する施肥ノズルが機体の重心位置から離れた所に配置されていたので、施肥ノズルが上下動して地中に打込まれるときに、その反力で機体が傾斜して、土の固い圃場では施肥ノズルを深く地中に打込むことができないことがあった。
また、良好な施肥効果を得るため、作物の成育状態あるいは肥料の種類に応じて施肥深さを変える必要があるが、従来は機体の後部にある尾輪を上下動させて施肥深さを変えているので、その都度機体が前後に傾斜して不安定な作業姿勢になってしまい、円滑な施肥作業にも悪影響を及ぼすという問題があった。
【０００４】
本発明は、上記の如き実情に鑑み創作されたものであって、その目的とするところは、尾輪を調節することなく施肥ノズルによる地中への施肥深さを容易に調節でき、しかも施肥ノズルが地中へ進入するときの反力により機体が傾斜するのを防止することができる施肥機を提供しようとするものである。
【０００５】
【課題を解決するための手段】
上記の課題を解決するため、本発明が講じた技術的手段は、走行車輪を備えた機体フレームの後端部に尾輪を装着し後部上方に操作ハンドルを設けた走行機体の両側に、ポンプから圧送される流動性肥料を上下動する施肥ノズルで地中に施肥する施肥機において、上記施肥ノズルを上下に駆動する動力伝導部を設け、該動力伝導部を覆う伝導ケースに、施肥ノズルおよびポンプを取付けて、動力伝導部と一体的に施肥ノズルおよびポンプを機体に昇降調節可能に取り付けると共に、上記上下動する施肥ノズルを走行車輪の車軸近傍位置で該走行車輪と尾輪の間に配置して、施肥ノズルが地中へ進入するときの反力により機体が傾斜するのを防止することを特徴とし、さらに動力伝導部によって駆動される施肥ノズルが、ガイド板に設けた案内溝に沿って上下動することにより、案内溝の形状を変えて施肥ノズルの打込み角度を調節できるようにしたことを特徴とするものである。
【０００６】
【発明の実施の形態】
次に本発明の実施の形態を、図面に示された好適な実施例に基づいて詳細に説明する。まず図１〜図４において、１は施肥機の走行機体であって、左右の走行車輪２を備えた機体フレーム３の前部にエンジン４が搭載され、その上方には肥料タンク５、燃料タンク６等が配設されている。７は安全フレーム、８はカバー体、９は肥料受け板である。また機体フレーム３の後端部には尾輪１０が装着され、その上方には操作ハンドル１１が立設されている。
【０００７】
１２はエンジン４からの動力伝導部、１３は機体の左右両側に設けた施肥ノズルであって、上記動力伝導部１２に連動する施肥ノズル１３がガイド板１４の案内溝１５に沿って上下動する。１６は上記動力伝導部１２を覆う伝導ケースであって、この伝導ケース１６に施肥ノズル１３が上記動力伝導部１２を介して取付けられている。
【０００８】
動力伝導部１２は、ミッションケース１７側の入力軸１８と動力伝導部１２側の伝導シャフト１９とが、ベルト伝動機構２０を介して連動連結されており、この伝導シャフト１９が伝導ケース１６の上部側に設けたクランク軸２１に、チェン伝動機構２２を介して連結されている。２３はクランク軸２１に設けたチェンスプロケットである。また、２４は上記入力軸１８と伝導シャフト１９とを連結するリンクアーム、２５はベルト伝動機構２０のテンションプーリであって、このテンションプーリ２５が操作ハンドル１１に設けた操作レバー２６にワイヤ２７で連結されており、操作レバー２６の操作により、エンジン４からの動力を断続する。
【０００９】
上記クランク軸２１の両端には、クランクアーム２８の回転軸２９がジョイント部３０を介して連結され、クランクアーム２８に連結した連結ロッド３１の先端に前記施肥ノズル１３が装着されている。また上記回転軸２９にガイド板１４が支持されており、ガイド板１４の案内溝１５に施肥ノズル１３の突出杆１３ａが摺動自在に嵌入して、クランク軸２１の回転に伴って図６に示すように施肥ノズル１３が案内溝１５に沿って上下動するものである。そして上記施肥ノズル１３は、機体を支持する走行車輪２の車軸２ａ近傍に位置するように配置されている。
【００１０】
３２は伝導ケース１６に取付けた上下揺動自在のパイプ、３３はパイプ３２に挿通された摺動自在のロッドであって、このロッド３３の側端がガイド板１４に枢着されている。そしてパイプ３２とロッド３３とを固定する挿通ボルト３４の挿通孔３３ａがロッド３３に複数個設けてあって、図２の右半部に示すように、挿通ボルト３４の差替えにより、施肥ノズル１３による施肥条間隔を調節できるようになっている。なお、この調節は左右の施肥ノズル１３について同時に行うものである。
【００１１】
３５は前記肥料タンク５から肥料繰出しポンプ３６を経て連結されたプランジャ型のポンプであって、このポンプ３５の肥料送出側がホース３７を介して施肥ノズル１３の上端に連結されている。また３８はクランク軸２１に設けたカム、３９はカム３８の回転により上下揺動するアームであって、このアーム３９がポンプ３５のプランジャ軸４０を押下げて、施肥ノズル１３が土中に進入したときに肥料を送出すようになっている。
【００１２】
そして上記ポンプ３５は動力伝導部１２の伝導ケース１６の背面に固定されていて、施肥ノズル１３とポンプ３５とが動力伝導部１２と一体的に昇降調節可能となっている。すなわち４１は上下方向のネジ棒であって、その下端部がブラケット４２を介して機体フレーム３側に支承され、上端にハンドル４３が設けられている。４４はネジ棒４１の中間支持部である。また４５は伝導ケース１６側に設けた支持ブラケットであって、支持ブラケット４５に嵌着した四角状ブロック４６に雌ネジ部が設けてあり、この雌ネジ部にネジ棒４１が螺入されていて、ハンドル４３の操作により、伝導ケース１６が一定姿勢を保持したまま上下動して、施肥ノズル１３とポンプ３５とを伝導ケース１６で覆われた動力伝導部１２と一体的に昇降調節できるようになっている。
【００１３】
また４７は上記ネジ棒４１のロックプレートであって、レバー４８，４９の締付け操作によりロックプレート４７がネジ棒４１を昇降調節位置に固定するものである。５０は操作ハンドル１１に設けたエンジンスイッチ、５１は尾輪１０の高さを固定するストッパ、また５２は肥料の戻りホース、５３は機体のバランスウエイトである。なお、安全フレーム７は、図５に示すようにエンジンフレーム５４から突出した支持パイプ５５に取付け、この安全フレーム７で肥料タンク５、燃料タンク６、カバー体８等を支持することにより、支持構造が簡素化されている。
【００１４】
上記のように構成したので、施肥作業を行うにあたり、走行車輪２を駆動しながらオペレータが操作ハンドル１１を把持して畝間を走行すれば、クランク軸２１の回転に伴って施肥ノズル１３が上下動する。そして施肥ノズル１３が地中に進入するときに揺動するアーム３９がポンプ３５のプランジャ軸４０押下げて肥料を送出し、畝に沿って所定間隔ごとに点状に土中施肥してゆく。そして作物の成育状態あるいは肥料の種類に応じて施肥深さを変えるときには、ハンドル４３を操作するのみで、施肥ノズル１３とポンプ３５とを伝導ケース１６で覆われた動力伝導部１２とともに一体的に昇降調節できるので、従来のように尾輪の調節によって機体を傾斜させることはなく、機体を安定した作業姿勢に保持したまま、適正な施肥深さに調節することができ、また上下方向のネジ棒４１に沿って調節範囲を広くすることができる。
【００１５】
そして、上下動する施肥ノズル１３は、走行車輪２の車軸２ａ近傍に位置しており、しかも施肥ノズル１３の上部に動力伝導部１２が位置するので、施肥ノズル１３を略機体重量による荷重で地中に打込むことができ、その打込み反力で機体が傾斜するようなことはない。
【００１６】
またガイド板１４の案内溝１５に沿って上下動する施肥ノズル１３は、案内溝１５の形状をかえれば、上下動軌跡を変えることができるので、走行速度等の作業条件に応じて施肥ノズル１３の地中への打込み角度を自由に調整することができる。なお挿通ボルト３４の差替えにより、施肥ノズル１３の施肥条間隔も簡単に調節することができる。
【００１７】
【発明の効果】
これを要するに本発明は、走行車輪を備えた機体フレームの後端部に尾輪を装着し後部上方に操作ハンドルを設けた走行機体の両側に、ポンプから圧送される流動性肥料を上下動する施肥ノズルで地中に施肥する施肥機において、上記施肥ノズルを上下に駆動する動力伝導部を設け、該動力伝導部を覆う伝導ケースに、施肥ノズルおよびポンプを取付けて、動力伝導部と一体的に施肥ノズルおよびポンプを機体に昇降調節可能に取り付けると共に、上記上下動する施肥ノズルを走行車輪の車軸近傍位置で該走行車輪と尾輪の間に配置し、また、動力伝導部によって駆動される施肥ノズルが、ガイド板に設けた案内溝に沿って上下動することから、施肥ノズルおよびポンプを動力伝導部と一体的に昇降調節できるので、施肥ノズルによる地中への施肥深さを容易に調節することができる。
【００１８】
そして走行車輪の車軸近傍位置に配置した施肥ノズルは、機体重心の近くで地中に進入するので、略機体重量による荷重のみで容易に地中に進入させることができ、このため施肥ノズルの反力により機体が傾斜するのを防止することができる。
また、施肥ノズルが、ガイド板に設けた案内溝に沿って上下動するものでは、案内溝の形状を変えれば、施肥ノズルの地中への打込み角度を作業条件に応じて自由に調節できるので、円滑に施肥作業を行うことができるものである。
【図面の簡単な説明】
【図１】施肥機の全体側面図である。
【図２】同上背面図である。
【図３】動力伝導部の側面図である。
【図４】同上平面展開図である。
【図５】安全フレームの平面図である。
【図６】施肥ノズルの作動説明図である。
【符号の説明】
１        走行機体
２        走行車輪
２ａ      車軸
１２      動力伝導部
１３      施肥ノズル
１４      ガイド板
１５      案内溝
１６      伝導ケース
３５      ポンプ
【図１】
0003775897.tif 000002
【図２】
0003775897.tif 000003
【図３】
0003775897.tif 000004
【図４】
0003775897.tif 000005
【図５】
0003775897.tif 000006
【図６】
0003775897.tif 000007